(57)【要約】【課題】放送、通信のための電波を送受信するアンテナ４２０を備える表示装置を、形状の異なる表示ユニットを製造する場合でも効率的に得られるようにすることを目的とする。【解決手段】表示ユニットを含む装置本体１０に設けられた本体側コネクタ１７０とアンテナ４２０を有するアンテナユニット４０に設けられた接続側コネクタ４１０とが接続されるため、アンテナ４２０を備えるアンテナユニット４０と、表示ユニットを含む装置本体１０とを独立して製造することができ、形状の異なる表示ユニットごとにアンテナ４２０を内蔵するための製造工程を用意することなく、効率的にアンテナ４２０を備える表示装置を得ることができる。【選択図】          図６
2018072861.tif 000002
【特許請求の範囲】
【請求項１】
装置本体に設けられる表示部と、
前記装置本体に設けられ、通信情報を保持する情報保持部と、
前記装置本体に設けられ、前記情報保持部に保持された前記通信情報を伝達する本体側コネクタと、
前記本体側コネクタに接続される接続側コネクタ、および前記接続側コネクタを介して伝達される前記通信情報を送受信するアンテナを有するアンテナユニットとを備える表示装置。
【請求項２】
前記アンテナユニットに設けられ、
前記本体側コネクタから伝達される前記通信情報を、電波信号に変換して前記アンテナに伝達するアンテナ側送受信部を備えることを特徴とする請求項１に記載の表示装置。
【請求項３】
前記装置本体に設けられ、
前記情報保持部に保持された前記通信情報を電波信号に変換し、前記電波信号を前記通信情報として、前記本体側コネクタを介して前記アンテナに伝達する本体側送受信部を備えることを特徴とする請求項１に記載の表示装置。
【請求項４】
前記装置本体に設けられ、前記表示部に光を供給する光源を制御する制御部と、
前記制御部に接続され、前記制御部の状態を点検する点検ユニットとを備え、
前記情報保持部は、前記点検ユニットによる前記制御部の点検結果を前記通信情報として保持することを特徴とする請求項２または３に記載の表示装置。
【請求項５】
前記情報保持部は、前記アンテナにより受信された電波が変換されたデジタルデータを、前記通信情報として保持することを特徴とする請求項１から３のいずれかに記載の表示装置。
【請求項６】
前記アンテナユニットは、前記光源を備えることを特徴とする請求項４に記載の表示装置。
【請求項７】
前記アンテナユニットは、前記点検ユニットを備えることを特徴とする請求項４に記載の表示装置。
【発明の詳細な説明】
【技術分野】
【０００１】
この発明は、表示装置に関する。
【背景技術】
【０００２】
表示装置には、例えば避難口の位置や避難の方向を表示する誘導灯のように、表示ユニットに向けて光源から光を供給することにより、暗い場所でも図や文字などの表示を明示できるようにしたものがある。このような表示装置の中には、例えば、特許文献１に示されるように、表示装置にアンテナを内蔵させることで電波による放送、通信を行えるようにした表示装置があった。この表示装置では、アンテナが一対の導光板に狭持されて表示ユニットに内蔵されるとともに、この表示ユニットが装置本体に取り付けられている。
【先行技術文献】
【特許文献】
【０００３】
【特許文献１】特許第５０１０１７３号公報
【発明の概要】
【発明が解決しようとする課題】
【０００４】
上記のような従来の表示装置では、アンテナが表示ユニットに内蔵され、この表示ユニットが装置本体に取り付けられる構造のため、形状の異なる表示ユニットを製造する場合、それぞれの表示ユニットの形状ごとにアンテナを備える表示ユニットを製造することになるので、形状の異なる表示ユニットごとに、アンテナを内蔵するための異なる製造工程を用意して製造する必要があり、非効率であった。
【０００５】
本発明は、上記のような課題を解決するためになされたもので、放送、通信のための電波を送受信するアンテナを備える表示装置を、形状の異なる表示ユニットを製造する場合でも効率的に得られるようにすることを目的とする。
【課題を解決するための手段】
【０００６】
本発明にかかる表示装置は、装置本体に設けられた本体側コネクタとアンテナを有するアンテナユニットに設けられた接続側コネクタとが接続され、本体側コネクタと接続側コネクタを介してアンテナから通信情報を送受信するものである。
【発明の効果】
【０００７】
本発明によれば、装置本体に設けられた本体側コネクタとアンテナを有するアンテナユニットに設けられた接続側コネクタとが接続されるため、アンテナを備えるアンテナユニットと、装置本体とを独立して製造することができ、形状の異なる表示装置ごとにアンテナを内蔵するための製造工程を用意することなく、効率的にアンテナを備える表示装置を得ることができる。
【図面の簡単な説明】
【０００８】
【図１】本発明に係る表示装置の外観図
【図２】本発明に係る表示装置の分解斜視図
【図３】本発明に係る光源ユニットの斜視図
【図４】実施の形態１および実施の形態２に係る点検ユニットの斜視図
【図５】実施の形態１および実施の形態２に係るアンテナユニットの概略斜視図
【図６】実施の形態１に係る表示装置の回路構成図
【図７】本発明に係る表示装置の室内配置に関する説明図
【図８】本発明に係る表示装置の通信動作を示す説明図
【図９】実施の形態２に係る表示装置の回路構成図
【図１０】実施の形態３および実施の形態４に係る点検ユニットの斜視図
【図１１】実施の形態３に係る表示装置の回路構成図
【図１２】実施の形態３に係る点検ユニットおよびアンテナユニットの回路構成図
【図１３】実施の形態４に係る表示装置の回路構成図
【図１４】実施の形態５および実施の形態６に係る光源ユニットの外観図
【図１５】実施の形態５に係る表示装置の回路構成図
【図１６】実施の形態６に係る表示装置の回路構成図
【図１７】壁面に埋め込む表示装置の外観図
【図１８】複数の表示ユニットを備える表示装置の外観図
【発明を実施するための形態】
【０００９】
実施の形態１．
以下、本実施の形態に係る表示装置１０００の構成を説明する。図１は表示装置１０００の外観図、図２は表示装置１０００を分解した分解斜視図である。
表示装置１０００は、天井や壁等に取り付けられ、避難口の位置や避難の方向等の図柄または文字の情報を表示するものである。表示される図柄は、例えば消防法で規定されている避難誘導を表す図柄である。
【００１０】
装置本体１０は枠体１１０と、表示部１２０と、バッテリー１４０と、制御部１５０と、本体側コネクタ１７０とを含んで構成される。枠体１１０は、表示装置１０００の筐体を構成するものである。枠体１１０は内部に部品を収納する空間を有し、前面は開口されている。枠体１１０の上面部１１１または背面部１１２には、表示装置１０００を天井や壁等に固定するための固定部材を通す取付孔１１２ａと、商用電源等の外部電源からの電源線が挿通される電源線挿入孔１１２ｂが形成される。
【００１１】
表示部１２０は、避難誘導を示す図柄や文字を表示するものであり、枠体１１０の前面の開口を覆って枠体１１０に取り付けられる。表示部１２０は、板状に形成され、表示パネル１２１と、導光体１２２と、表示枠１２３を備える。表示パネル１２１は光を透過する材料で形成されており、前面に図柄等が描かれている。導光体１２２は表示パネル１２１の背面に配置される。導光体１２２は上部に光を入射する入射面１２２ａが設けられ、入射面１２２ａから入射した光を導光して、表示パネル１２１を背面側からほぼ均一に照射する。表示枠１２３の前面側に表示パネル１２１および導光体１２２を取り付け、この表示枠１２３の背面側を枠体１１０に取り付ける。
なお、入射面１２２ａから入射した光を効果的に表示パネル１２１に照射するために、表示パネル１２１と導光体１２２との間に光学シートが設けられ、導光体１２２と表示枠１２３との間に反射シートが配設されている。
【００１２】
バッテリー１４０は、停電時などの非常時に光源ユニット２０に電力を供給する非常時電源である。バッテリー１４０はコネクタ１４１を有して制御部１５０に接続され、制御部１５０を介して外部電源６０から供給される電力により充電される。また、非常時には制御部１５０により制御され電力を供給する。
【００１３】
制御部１５０は枠体１１０内部に設けられ、光源ユニット２０へ供給する電力を制御するものである。制御部１５０は、通常時には電源回路を介して外部電源６０から電力供給を受け、外部電源から電力が供給されない非常時にはバッテリー１４０から電力供給を受ける。
また、制御部１５０は図示していない情報管理装置や、他の表示装置１０００と送受信するデジタルデータを通信情報として保持する情報保持部１５２を備えている。通信情報としては、例えばバッテリー１４０の点検結果の情報、表示装置１０００が設置された場所周辺の温度等のセンサ情報、あるいは他の表示装置１０００から情報管理装置に転送する情報などである。
【００１４】
本体側コネクタ１７０は、装置本体１０の制御部１５０に接続されている。本体側コネクタ１７０は、制御部１５０に設けられた情報保持部１５２が保持するデジタルデータや信号または、接続された電気部品から伝達されたデジタルデータや信号を通信情報として伝達する。
【００１５】
次に、光源ユニット２０について説明する。図３は光源ユニット２０の斜視図である。光源ユニット２０は、表示部１２０に光を放射するものである。光源ユニット２０は、光源２１０と、基板２２０と基板ホルダ２３０を備え、表示部１２０の上面を覆って装置本体１０の枠体１１０および表示部１２０の表示枠１２３に配設される。
光源２１０はＬＥＤ等の発光体であり、制御部１５０から供給された電力により点灯して導光体１２２へ光を放射する。基板２２０は、実装面に光源２１０が実装された板状体である。この基板２２０が基板ホルダ２３０に保持されることで、光源ユニット２０が構成される。また、基板２２０はコネクタ２２１を介して制御部１５０に接続される。
【００１６】
次に、点検ユニット３０について説明する。図４は点検ユニット３０の斜視図である。
点検ユニット３０は、制御部１５０の動作状態またはバッテリー１４０や光源２１０等の電気部品が正常状態か異常状態か等を点検する機能を有するものであり、コネクタ３５０が本体側コネクタ１７０と接続されることで点検ユニット３０と制御部１５０とが接続される。また、点検ユニット３０は、点検ユニット枠３７０が枠体１１０の貫通孔１１３ａに嵌め合され、一部が枠体１１０の外部に露出して枠体１１０内に設けられる。外部に露出する面には、点検スイッチ３１０と、自動点検スイッチ３２０と、受信部３４０と、３つの状態表示部３３０と、アンテナユニット４０と接続するコネクタ３６０を備える。
【００１７】
点検スイッチ３１０は、操作を行っている期間に上記点検を行うスイッチである。
自動点検スイッチ３２０は、所定時間の間、バッテリー１４０により光源ユニット２０を点灯する非常点灯を実施し、所定時間の経過後にバッテリー１４０の状態を点検する点検開始操作をおこなうスイッチである。
受信部３４０は、リモコン等の外部の送信機から送信された点検開始信号を受信するものである。
状態表示部３３０は、点検結果をＬＥＤの発光により表示し、外部へ報知するものである。
【００１８】
コネクタ３６０は後述するアンテナユニット４０を着脱可能に接続するものである。コネクタ３６０は、点検ユニット枠３７０内部でコネクタ３５０と接続されている。コネクタ３６０とコネクタ３５０が接続され、またコネクタ３５０は本体側コネクタ１７０と接続されるので、コネクタ３６０は本体側コネクタ１７０を延長するものとして、いわば実質的に本体側コネクタとして機能するものである。
点検スイッチ３１０等は外部に露出しているため、点検スイッチ３１０および自動点検スイッチ３２０の外部からの操作、受信部３４０における外部からの信号の受信、および状態表示部３３０による外部への報知が可能である。
【００１９】
なお、点検スイッチ３１０、自動点検スイッチ３２０からの点検指示は、上記の指示に限らず、制御部１５０の動作状態または電気部品の状態を点検する指示でもよい。また、状態表示部３３０は点検結果の他に、点検中である旨の表示やバッテリー１４０の充電状態、光源２１０の接続状態、光源２１０の寿命等を表示してもよく、外部への報知手段は発光に限られるものでない。
【００２０】
次に、アンテナユニット４０について説明する。アンテナユニット４０は、外部機器と通信情報に基づく電波を送受信することで相互に無線通信するものである。図５はアンテナユニット４０の概略斜視図であり、アンテナ枠４４０とこのアンテナ枠４４０の１面に設けられ、点検ユニット３０のコネクタ３６０と接続されて本体側コネクタ１７０と電気的に接続される接続側コネクタ４１０とを有している。図６は実施の形態１に係る表示装置１０００および電源線を示す回路構成図である。アンテナユニット４０のアンテナ枠４４０内部には、アンテナ４２０と、アンテナ側送受信部４３０を備えている。
【００２１】
本実施の形態では、図６に示すように、点検ユニット３０のコネクタ３６０は、上述のようにコネクタ３５０を介して本体側コネクタ１７０と着脱可能に接続されるため、接続側コネクタ４１０は本体側コネクタ１７０と電気的に接続される。
アンテナ４２０は、本体側コネクタ１７０および接続側コネクタ４１０を介して制御部１５０から電力が供給され、外部機器との間で通信情報に基づく電波を送受信するものである。
【００２２】
アンテナ側送受信部４３０は、アンテナユニット４０に設けられ送信機４３１と受信機４３２とを備えており、電波信号とデジタル信号との相互変換をおこなうものである。アンテナ側送受信部４３０はアンテナ４２０、点検ユニット３０および制御部１５０に電気的に接続される。なお、アンテナ側送受信部４３０と制御部１５０とは、点検ユニット３０を介して接続されている。点検ユニット３０の内部では、コネクタ３５０の端子とコネクタ３６０の端子とが直接接続される接続線があり、接続側コネクタ４１０、コネクタ３６０、上記接続線、コネクタ３５０、本体側コネクタ１７０を介してアンテナ側送受信部４３０と制御部１５０とが直接的に接続される回路が形成される。
【００２３】
以上のような構成の表示装置１０００においては、本体側コネクタ１７０を延長する機能を備えるコネクタ３６０と接続側コネクタ４１０を着脱可能に係合させることで、制御部１５０とアンテナユニット４０との電気的な接続が行われ、本体側コネクタ１７０と接続側コネクタ４１０を介して制御部１５０とアンテナユニット４０との通信情報の伝達が行われる。
【００２４】
次に、実施の形態１における表示装置１０００の動作を説明する。
商用電源から電力が供給されている通常時は、商用電源から供給される電力により光源２１０が点灯して表示部１２０が明るく表示される。商用電源から電力が供給されない非常時は、制御部１５０によりバッテリー１４０の駆動が制御され、バッテリー１４０から電力が供給される。装置本体１０の稼働中、点検ユニット３０から点検指示が出されると、制御部１５０はバッテリー１４０や光源２１０等の電気部品が正常状態か異常状態か等を点検する。
【００２５】
次に、アンテナユニット４０による通信情報の送受信の動作を説明する。図７に本発明に係る表示装置の室内配置に関する説明図、図８に表示装置の通信動作を示す説明図を示す。
まず、無線機能を備える照明器具や照度センサや人感センサ、温度センサ等の外部機器が設けられた室内に、複数の表示装置１０００を所定の間隔で配置させる。各センサまたは表示装置からの情報は、電波信号として表示装置１０００に発信される。
【００２６】
表示装置１０００が外部機器からの電波信号を受信する場合は、まずアンテナ４２０が電波信号を受信する。受信された電波信号は、アンテナ側送受信部４３０の受信機４３２に伝達され、受信機４３２によりデジタル信号に変換される。変換されたデジタル信号は、アンテナユニット４０から接続側コネクタ４１０とコネクタ３６０と本体側コネクタ１７０を介して制御部１５０に伝達される。制御部１５０は伝達されたデジタル信号を情報保持部１５２に書き込み、デジタル信号が通信情報として保持される。本体側コネクタ１７０および接続側コネクタ４１０を介してデジタル信号が制御部１５０に伝達される際、デジタル信号の内容に応じて、コネクタ３６０の端子とコネクタ３５０の端子とを直接接続する線を介して制御部１５０に直接伝達されるか、または点検ユニット３０を介して制御部１５０に伝達される。デジタル信号が、例えば点検を指示する信号であった場合、このデジタル信号は点検ユニット３０に伝達され、コネクタ３５０を介して制御部１５０に伝達される。点検ユニット３０は、点検を指示するデジタル信号を受けると、制御部１５０に点検信号を出力する。点検結果は情報保持部１５２に書き込まれて保持される。
【００２７】
一方、表示装置１０００から外部機器へ電波信号を送信する場合は、情報保持部１５２に保持された通信情報がデジタル信号として、本体側コネクタ１７０、コネクタ３５０、コネクタ３６０、接続側コネクタ４１０を介してアンテナユニット４０に伝達され、アンテナ側送受信部４３０の送信機４３１により高周波の電波信号に変換される。変換された電波信号はアンテナ４２０に伝達されて外部機器へ送信される。
【００２８】
アンテナユニット４０に伝達されるデジタル信号は、点検ユニット３０を介してアンテナユニット４０に伝達される。
デジタル信号が、例えば点検結果に基づく信号であった場合、このデジタル信号はコネクタ３５０を介して点検ユニット３０に伝達され、この点検結果に基づくデジタル信号により、状態表示部３３０から点検結果が報知される。また、点検ユニット３０を介したデジタル信号はアンテナユニット４０に伝達される。
【００２９】
アンテナ４２０から外部機器へ送信された電波情報は、周囲に配置された他の表示装置等に受信されるか、あるいは情報管理装置に転送される。情報管理装置にまで電波が届かない位置にある表示装置の情報も、送信した電波情報が近くの他の表示装置に受信され、その情報がさらに別の表示装置に送信されるという情報の伝達動作が行われれば、最終的に情報管理装置に送り届けることができる。
【００３０】
以上のような実施の形態１に係る表示装置１０００においては、制御部１５０に接続された本体側コネクタ１７０を延長し実質的に本体側コネクタとして機能するコネクタ３６０と、アンテナユニット４０に設けられた接続側コネクタ４１０とが着脱可能に接続されるため、アンテナ４２０を備えるアンテナユニット４０と、装置本体１０とを独立して製造することができる。そのため、表示ユニットの形状や筐体の形状の異なる表示装置ごとにアンテナ４２０を内蔵するための製造工程を用意することなく装置本体１０を製造でき、通信機能を有する表示装置を得たい場合にはアンテナユニット４０を装着すればよい。
【００３１】
装置本体１０の外部からコネクタを介してアンテナユニット４０を着脱可能に取り付けることができるため、アンテナユニット４０を備える表示装置とアンテナユニット４０を備えない表示装置とを必要に応じて選択することができる。
さらに、点検ユニット３０が装置本体１０に嵌め込まれた状態でも装置本体１０の外部からアンテナユニット４０を接続することができるため、装置本体１０を壁などに設置したあとでも容易にアンテナユニット４０を取り付けることができる。
【００３２】
なお、本実施の形態１において、点検ユニット３０の内部にコネクタ３５０の端子とコネクタ３６０の端子とを直接接続する接続線を設けた例を示したが、この接続線は、点検ユニット３０外部に設けてもよく、コネクタ３５０の端子とコネクタ３６０の端子とが接続されてデジタル信号が伝達されればよい。
【００３３】
実施の形態２．
図９は実施の形態２に係る表示装置２０００の回路構成図である。実施の形態２では、実施の形態１との相違点を中心に説明し、実施の形態１と同一部分には同一符号を付して説明を省略するものとする。
【００３４】
実施の形態１では、送受信部がアンテナユニット４０に設けられた構造であったが、実施の形態２では、送受信部が枠体１１０内に設けられ、送受信部が本体側コネクタと接続側コネクタを介してアンテナと接続される構造のものを示す。
【００３５】
アンテナユニット４０はコネクタ３６０と接続する接続側コネクタ４１０と、アンテナ４２０を備え、アンテナ枠４４０に囲まれている。
【００３６】
本体側送受信部１８０は、枠体１１０内に設けられ、点検ユニット３０とコネクタ３６０との間に接続されている。本体側送受信部１８０は送信機１８１と受信機１８２とを備えており、電波信号とデジタル信号との相互変換をおこなうものである。本体側送受信部１８０とアンテナユニット４０は接続側コネクタ４１０とコネクタ３６０を介して接続される。また、本体側送受信部１８０と制御部１５０とは点検ユニット３０およびコネクタ３５０を介して接続される。
【００３７】
実施の形態１では、コネクタ３６０、接続側コネクタ４１０は、通信信号として、デジタル信号を伝達するものであったが、本実施の形態２では、コネクタ３６０、接続側コネクタ４１０は、通信信号として、本体側送受信部１８０で入出力される電波信号を伝達するものである。ここでも、コネクタ３６０は本体側コネクタとして機能するものである。
【００３８】
以上のような構成の表示装置２０００においては、通信信号としての電波信号を伝達する本体側コネクタとしてのコネクタ３６０と接続側コネクタ４１０を着脱可能に係合させることで、制御部１５０とアンテナユニット４０との電気的な接続が行われ、本体側コネクタ１７０と接続側コネクタ４１０を介して制御部１５０とアンテナユニット４０との通信情報の伝達が行われる。
【００３９】
次に、実施の形態２における表示装置２０００の動作を説明する。
表示装置２０００が外部機器からの電波信号を受信する場合は、アンテナ４２０により受信された電波信号が接続側コネクタ４１０およびコネクタ３６０を介して本体側送受信部１８０の受信機１８２に伝達され、受信機１８２によりデジタル信号に変換される。
変換されたデジタル信号は、信号の内容に応じて制御部１５０に直接伝達されるか、または点検ユニット３０を介して制御部１５０に伝達される。点検ユニット３０は、点検を指示するデジタル信号を受けると、制御部１５０に点検信号を出力する。
【００４０】
一方、表示装置２０００から外部機器へ電波信号を送信する場合は、情報保持部１５２に保持された通信情報がデジタル信号として、本体側コネクタ１７０を介して本体側送受信部１８０の送信機１８１に伝達され、高周波の電波信号に変換される。変換された電波信号はコネクタ３６０と接続側コネクタ４１０を介してアンテナ４２０に伝達されて外部機器へ送信される。
【００４１】
送信機１８１に伝達されるデジタル信号は、信号の内容に応じて送信機１８１に直接伝達されるか、または点検ユニット３０を介して伝達される。
デジタル信号が、例えば点検結果に基づく信号であった場合、このデジタル信号はコネクタ３５０を介して点検ユニット３０に伝達される。点検結果に基づくデジタル信号により、状態表示部３３０から点検結果が報知される。また、点検ユニット３０を介したデジタル信号は送信機１８１に送信される。
【００４２】
以上のような実施の形態２に係る表示装置２０００においては、本体側送受信部１８０が枠体１１０内に設けられ、送受信部が本体側コネクタ１７０と接続側コネクタ４１０を介してアンテナ４２０と接続されており、このような場合にも、通信信号としての電波信号を伝達する本体側コネクタとしてのコネクタ３６０と、アンテナユニット４０に設けられた接続側コネクタ４１０とが着脱可能に接続されるため、アンテナ４２０を備えるアンテナユニット４０と、装置本体１０とを独立して製造することができる。そのため、表示ユニットの形状や筐体の形状の異なる表示装置ごとにアンテナ４２０を内蔵するための製造工程を用意することなく装置本体１０を製造でき、通信機能を有する表示装置を得たい場合にはアンテナユニット４０を装着すればよい。また使用する周波数やアンテナの向きに応じてアンテナユニット４０のみの取付けまたは交換が可能である。
【００４３】
なお、本実施の形態２では、枠体１１０内の本体側送受信部１８０を点検ユニット３０とは別の回路構成として制御部１５０と電気的に接続されるものを示したが、本体側送受信部１８０は点検ユニット３０内部に設けてもよい。
また、実施の形態１および実施の形態２において、コネクタ３６０は枠体１１０の外面に露出する面に設ける構成としたがこれに限らず、制御部１５０に接続される構成であれば、枠体１１０の側面や底面に設ける等の構成としてもよい。枠体１１０の側面や底面等のアンテナユニット４０の接続箇所が選択できるため、表示ユニットの配置場所や電波の指向性に合わせてアンテナユニット４０を配置することができ、効率よく電波を受信することができる。
【００４４】
実施の形態３．
図１０は実施の形態３に係る点検ユニット３０の斜視図である。実施の形態３では、実施の形態１との相違点を中心に説明し、実施の形態１と同一部分には同一符号を付して説明を省略するものとする。
【００４５】
実施の形態１では、本体側コネクタとしてのコネクタ３６０を枠体１１０の外面に露出させ、このコネクタ３６０にアンテナユニット４０の接続側コネクタ４１０を接続してアンテナユニット４０を装着するものを示したが、実施の形態３では、アンテナユニット４０を、枠体１１０内に設けられた点検ユニット枠３７０の内部に設ける構成のものを示す。
点検ユニット３０は、実施の形態１のものと同様であるが、コネクタ３６０は設けていない。
図１１は実施の形態３に係る表示装置３０００の回路構成図、図１２は点検ユニット３０およびアンテナユニット４０の回路構成図である。
【００４６】
アンテナユニット４０は、本体側コネクタ１７０と電気的に接続する接続側コネクタ４１０と、アンテナ４２０と、アンテナ側送受信部４３０を備え、点検ユニット枠３７０に設けられている。アンテナ側送受信部４３０はアンテナ４２０、点検ユニット３０に電気的に接続されるとともに、接続側コネクタ４１０と、本体側コネクタ１７０とを介して制御部１５０と接続される。なお、点検ユニット３０およびアンテナユニット４０の回路構成は図１２に示すように、点検ユニット３０の点検スイッチ３１０、自動点検スイッチ３２０、受信部３４０、状態表示部３３０がそれぞれアンテナユニット４０および接続側コネクタ４１０に接続されている。これにより、点検スイッチ３１０等の動作状態に関する情報がアンテナユニット４０を介して外部機器に伝達することができる。また、アンテナユニット４０と接続側コネクタ４１０の端子とを直接接続する接続線があり、この接続線、接続側コネクタ４１０、本体側コネクタ１７０を介してアンテナユニット４０と制御部１５０とが接続される。
【００４７】
以上のような構成の表示装置３０００においては、本体側コネクタ１７０と接続側コネクタ４１０とを着脱可能に係合させることで、制御部１５０とアンテナユニット４０との電気的な接続が行われ、本体側コネクタ１７０と接続側コネクタ４１０を介して制御部１５０とアンテナユニット４０との通信情報の伝達が行われる。
【００４８】
次に、本実施の形態３による表示装置３０００の動作を説明する。
表示装置３０００が外部機器からの電波信号を受信する場合は、アンテナ４２０から受信された電波信号がアンテナ側送受信部４３０の受信機４３２に伝達され、受信機４３２によりデジタル信号に変換される。
【００４９】
変換されたデジタル信号は、アンテナユニット４０から接続側コネクタ４１０と本体側コネクタ１７０を介して制御部１５０に伝達される。
変換されたデジタル信号は、信号の内容に応じて接続側コネクタ４１０および本体側コネクタ１７０を介して制御部１５０に伝達されるか、または点検ユニット３０と本体側コネクタ１７０を介して制御部１５０に伝達される。
【００５０】
デジタル信号が、例えば点検を指示する信号であった場合、このデジタル信号は点検ユニット３０に伝達され、コネクタ３５０および本体側コネクタ１７０を介して制御部１５０に伝達される。点検ユニット３０は、点検を指示するデジタル信号を受けると、制御部１５０に点検信号を出力する。
【００５１】
一方、表示装置３０００から外部機器へ電波信号を送信する場合は、情報保持部１５２に保持された通信情報がデジタル信号として、本体側コネクタ１７０と接続側コネクタ４１０を介してアンテナユニット４０に伝達され、アンテナ側送受信部４３０の送信機４３１により高周波の電波信号に変換される。変換された電波信号はアンテナ４２０に伝達されて外部機器へ送信される。
【００５２】
アンテナユニット４０に伝達されるデジタル信号は、信号の内容に応じて送信機１８１に直接伝達されるか、または点検ユニット３０を介して伝達される。
デジタル信号が、例えば点検結果に基づく信号であった場合、このデジタル信号は接続側コネクタ４１０を介して点検ユニット３０に伝達される。点検結果に基づくデジタル信号により、状態表示部３３０から点検結果が報知される。また、点検ユニット３０を介したデジタル信号は送信機４３１に送信される。
【００５３】
以上のような実施の形態３に係る表示装置においては、アンテナユニット４０が内部に設けられた点検ユニット３０が、装置本体１０の本体側コネクタ１７０に着脱可能に取り付けられるため、装置本体１０を別途製造した後、アンテナユニット４０と点検ユニット３０両方の機能を備える点検ユニット枠３７０を取り付けるか、点検ユニット３０のみの機能を備える点検ユニット枠３７０を取り付けるかによって、仕様の異なる表示装置を容易に得ることができる。
また、アンテナユニット４０を枠体１１０内に収納して外観をシンプルな形状とした表示装置を得ることができる。
【００５４】
なお、本実施の形態３では、接続側コネクタ４１０を、アンテナユニット４０用のコネクタと点検ユニット３０用のコネクタとして兼用したものを示したが、それぞれ別のコネクタを設けるように構成してもよい。
また、アンテナユニット４０は独立して製造し、点検ユニット３０内部に取り付けるか、点検スイッチ３１０等が実装される基板に実装させてもよい。
【００５５】
実施の形態４．
図１３は実施の形態４に係る表示装置４０００の回路構成図である。実施の形態４では、実施の形態３との相違点を中心に説明し、実施の形態１と同一部分には同一符号を付して説明を省略するものとする。
【００５６】
実施の形態３では、送受信部がアンテナユニット内部に設けられる構造であったが、実施の形態４では、送受信部が装置本体１０に設けられ、本体側コネクタと接続側コネクタを介してアンテナと接続される構成のものを示す。
点検ユニット３０は、実施の形態３と同様のものである。
【００５７】
アンテナユニット４０は、本体側コネクタ１７０と電気的に接続する接続側コネクタ４１０と、アンテナ４２０を備え、点検ユニット枠３７０内に設けられる。なお、アンテナユニット４０は、点検ユニット３０に接続されて接続側コネクタ４１０および本体側コネクタ１７０を介し制御部１５０に接続される。
【００５８】
実施の形態３では、本体側コネクタ１７０、接続側コネクタ４１０は、通信信号として、デジタル信号を伝達するものであったが、本実施の形態４では、本体側コネクタ１７０、接続側コネクタ４１０それぞれの一部の端子は、通信信号として、本体側送受信部１８０で入出力される電波信号を伝達するものである。
【００５９】
本体側コネクタ１７０から制御部１５０までの電気経路には、本体側送受信部１８０が接続されている。
本体側送受信部１８０はアンテナユニット４０と点検ユニット３０と制御部１５０に電気的に接続さる。本体側送受信部１８０とアンテナユニット４０および点検ユニット３０は、接続側コネクタ４１０またはコネクタ３５０と本体側コネクタ１７０を介して接続される。
【００６０】
以上のような構成の表示装置４０００においては、本体側コネクタ１７０と接続側コネクタ４１０を着脱可能に係合させることで、制御部１５０とアンテナユニット４０との電気的な接続が行われ、本体側コネクタ１７０と接続側コネクタ４１０を介して制御部１５０とアンテナユニット４０との通信情報の伝達が行われる。
【００６１】
次に、本発明による表示装置４０００の動作を説明する。
表示装置４０００が外部機器からの電波信号を受信する場合は、アンテナ４２０から受信された電波信号が接続側コネクタ４１０および本体側コネクタ１７０を介して本体側送受信部１８０の受信機１８２に伝達され、受信機１８２によりデジタル信号に変換される。
変換されたデジタル信号は、信号の内容に応じて、制御部１５０に伝達されるか、送信機１８１から本体側コネクタ１７０と接続側コネクタ４１０を介して点検ユニット３０に伝達される。
【００６２】
デジタル信号が、例えば点検を指示する信号であった場合、このデジタル信号は本体側コネクタ１７０と接続側コネクタ４１０を介して点検ユニット３０に伝達される。点検ユニット３０は、点検を指示するデジタル信号を受けると、再度本体側コネクタ１７０と接続側コネクタ４１０を介して制御部１５０に点検信号を出力する。
【００６３】
一方、表示装置４０００から外部機器へ電波信号を送信する場合は、情報保持部１５２に保持された通信情報がデジタル信号として、本体側送受信部１８０の送信機１８１に伝達され、高周波の電波信号に変換される。変換された電波信号は信号に応じて本体側コネクタ１７０と接続側コネクタ４１０を介してアンテナユニット４０に伝達され、外部機器へ送信される。
【００６４】
以上のような実施の形態４に係る表示装置においては、アンテナユニット４０が装置本体１０の内部に設けられ、送受信部が本体側コネクタと接続側コネクタを介してアンテナと接続される構成であるため、装置本体１０を別途製造した後、アンテナユニット４０と点検ユニット３０両方の機能を備える点検ユニット枠３７０を取り付けるか、点検ユニット３０のみの機能を備える点検ユニット枠３７０を取り付けるかによって、仕様の異なる表示装置を容易に得ることができる。また、アンテナ４２０を備えるアンテナユニット４０と、装置本体１０とを独立して製造することができるため、アンテナのみの取付けまたは交換が可能である。
【００６５】
なお実施の形態１から実施の形態４においては、アンテナユニット４０にＣＰＵ等の情報保持部を設ける構成としてもよい。これにより、点検ユニット３０から伝達された表示装置３０００の充電状態に関する情報に基づいて、充電が少なくなった場合には電力消費を抑えるためにアンテナユニット４０の通信動作を停止させることができる。
【００６６】
実施の形態５．
図１４は実施の形態５の表示装置に係る光源ユニット２０の外観図である。実施の形態５では、実施の形態１との相違点を中心に説明し、実施の形態１と同一部分には同一符号を付して説明を省略するものとする。
【００６７】
実施の形態１では、アンテナユニット４０を独立した構成物としたが、実施の形態５では、アンテナユニット４０を光源ユニット２０の内部に設けるものを示す。
【００６８】
光源ユニット２０は、実施の形態１と同様のものであるが、基板ホルダ２３０の内部に基板２２０と電気的に接続されるアンテナユニット４０を備えている。
【００６９】
図１５は実施の形態５に係る表示装置５０００の回路構成図である。
アンテナユニット４０は、本体側コネクタ１７０と電気的に接続する接続側コネクタ４１０と、アンテナ４２０と、アンテナ側送受信部４３０を備え、基板ホルダ２３０内に設けられている。アンテナ側送受信部４３０はアンテナ４２０、基板２２０に電気的に接続されるとともに、接続側コネクタ４１０と、本体側コネクタ１７０とを介して制御部１５０と接続される。なお、基板２２０にはアンテナユニット４０と接続側コネクタ４１０の端子とを直接接続する電気回路あり、この電気回路、接続側コネクタ４１０、本体側コネクタ１７０を介してアンテナユニット４０と制御部１５０とが接続される。
【００７０】
以上のような構成の表示装置５０００においては、本体側コネクタ１７０と接続側コネクタ４１０とを着脱可能に係合させることで、制御部１５０とアンテナユニット４０との電気的な接続が行われ、本体側コネクタ１７０と接続側コネクタ４１０を介して制御部１５０とアンテナユニット４０との通信情報の伝達が行われる。
【００７１】
この実施の形態５の表示装置でも、実施の形態１と同様の動作が行われる。
このようにアンテナユニット４０を光源ユニット２０の内部に設けた場合も、アンテナ４２０を備えるアンテナユニット４０と、装置本体１０とを独立して製造することができる。
【００７２】
なお、実施の形態５ではアンテナユニット４０を基板ホルダ２３０に設けられる構成であったが、基板２２０上に実装して一体に構成してもよい。アンテナユニット４０と基板２２０とを一体に構成することにより、基板２２０のみ交換することで無線通信機機能を備える表示装置を得ることができる。
【００７３】
実施の形態６．
図１６は実施の形態６の表示装置に係る表示装置６０００の回路構成図である。実施の形態６では、実施の形態５との相違点を中心に説明し、実施の形態１と同一部分には同一符号を付して説明を省略するものとする。
【００７４】
実施の形態５では、送受信部がアンテナユニット内部に設けられる構造であったが、実施の形態６では、送受信部が装置本体１０に設けられ、本体側コネクタと接続側コネクタを介してアンテナと接続される構成のものを示す。
【００７５】
アンテナユニット４０はアンテナ４２０を備えて基板ホルダ２３０内に設けられる。また、装置本体１０内には、本体側送受信部１８０が設けられる。アンテナ４２０は接続側コネクタ４１０、本体側コネクタ１７０を介して本体側送受信部１８０と電気的に接続する。さらに、本体側送受信部１８０は接続側コネクタ４１０、本体側コネクタ１７０を介して基板２２０と接続する。実施の形態５では、本体側コネクタ１７０、接続側コネクタ４１０は、通信信号として、デジタル信号を伝達するものであったが、本実施の形態６では、本体側コネクタ１７０、接続側コネクタ４１０それぞれの一部の端子は、通信信号として、本体側送受信部１８０で入出力される電波信号を伝達するものである。ただし、本体側送受信部１８０から基板２２０へ通信信号を伝達する場合は、通信信号として本体側送受信部１８０で出力されるデジタル信号を伝達する。
【００７６】
なお、受信した電波信号は全てデジタル信号に変換して制御部１５０に伝達されているが、変換されたデジタル信号を基板２２０に伝達して光源２１０の点灯を制御する構成としてもよい。
また、上記全ての実施の形態においては、アンテナユニット４０は情報保持部１５２に保持された通信情報を電波信号として外部機器に伝達するものであったが、外部機器から受信した通信情報を情報保持部１５２に保持することなく他の外部機器に伝達するものでもよい。
また、表示装置は１つの表示ユニットを備える構成としたが、これに限らず、図１７のように複数の表示ユニットを備える構成としてもよい。また、表示装置は天井や壁に取り付けられる構成としたが、これに限らず、図１８のように壁に埋め込む構成としてもよい。
【産業上の利用可能性】
【００７７】
本発明に係る表示装置は、家庭用、業務用等の表示装置として広く利用することが可能である。
【符号の説明】
【００７８】
１０  装置本体、２０  光源ユニット、３０  点検ユニット、４０  アンテナユニット、１１０  枠体、１１１  上面部、１１２  背面部、１１２ａ  取付孔、１１２ｂ  電源線挿入孔、１１３  下面部、１１３ａ  貫通孔、１２０  表示部、１２１  表示パネル、１２２  導光体、１２２ａ  入射面、１２３  表示枠、１４０  バッテリー、１４１  コネクタ、１５０  制御部、１５２  情報保持部、１７０  本体側コネクタ、１８０  本体側送受信部、１８１  送信機、１８２  受信機、２１０  光源、２２０  基板、２２１  コネクタ、２３０  基板ホルダ、３１０  点検スイッチ、３２０  自動点検スイッチ、３３０  状態表示部、３４０  受信部、３５０、３６０  コネクタ、３７０  点検ユニット枠、４１０  接続側コネクタ、４２０  アンテナ、４３０アンテナ側送受信部、４３１  送信機、４３２  受信機、４４０  アンテナ枠
【図１】
2018072861.tif 000003
【図２】
2018072861.tif 000004
【図３】
2018072861.tif 000005
【図４】
2018072861.tif 000006
【図５】
2018072861.tif 000007
【図６】
2018072861.tif 000008
【図７】
2018072861.tif 000009
【図８】
2018072861.tif 000010
【図９】
2018072861.tif 000011
【図１０】
2018072861.tif 000012
【図１１】
2018072861.tif 000013
【図１２】
2018072861.tif 000014
【図１３】
2018072861.tif 000015
【図１４】
2018072861.tif 000016
【図１５】
2018072861.tif 000017
【図１６】
2018072861.tif 000018
【図１７】
2018072861.tif 000019
【図１８】
2018072861.tif 000020